(57)【要約】【課題】  ＢＩＭを実現する建築ＣＡＤシステムと連携して、比較的少ない手作業で迅速に且つ正確に熱負荷計算データを作成する。【解決手段】  ＢＩＭを実現する建築ＣＡＤシステムと連携して熱負荷計算データの作成を行う本発明の方法は、建築ＣＡＤシステムにより表計算ソフトにしたがって室毎にシート表示される熱負荷要素別のデータセルブロックの配列構成を全ての室について共通に設定することと、表計算ソフトのシート間における一括コピー機能を用いて、任意の室に関する熱負荷要素のデータセルブロックの内容を、他の全ての室に関する当該熱負荷要素のデータセルブロックに一括的にコピー入力すること、とを含む。【選択図】  図２
2014075037.tif 000002
【特許請求の範囲】
【請求項１】
ＢＩＭを実現する建築ＣＡＤシステムと連携して熱負荷計算データの作成を行う方法であって、
前記建築ＣＡＤシステムにより表計算ソフトにしたがって室毎にシート表示される熱負荷要素別のデータセルブロックの配列構成を全ての室について共通に設定することと、
前記表計算ソフトのシート間における一括コピー機能を用いて、任意の室に関する熱負荷要素のデータセルブロックの内容を、他の全ての室に関する当該熱負荷要素のデータセルブロックに一括的にコピー入力すること、とを含むことを特徴とする熱負荷計算データ作成方法。
【請求項２】
前記共通に設定することは、各熱負荷要素のデータセルブロックの数および配置される行位置を全ての室について共通に設定することを含むことを特徴とする請求項１に記載の熱負荷計算データ作成方法。
【請求項３】
前記一括的にコピー入力することは、前記任意の室に関する熱負荷要素のデータセルブロックの内容の一部を、他の全ての室に関する当該熱負荷要素のデータセルブロックに一括的にコピー入力することを含むことを特徴とする請求項１または２に記載の熱負荷計算データ作成方法。
【請求項４】
前記コピー入力の対象となる熱負荷要素は、外壁、内壁、窓、すきま風および内部発熱のうちの少なくとも１つを含むことを特徴とする請求項１乃至３のいずれか１項に記載の熱負荷計算データ作成方法。
【発明の詳細な説明】
【技術分野】
【０００１】
本発明は、熱負荷計算データ作成方法に関する。さらに詳細には、本発明は、ＢＩＭを実現する建築ＣＡＤシステムと連携して熱負荷計算データの作成を行う方法に関するものである。
【背景技術】
【０００２】
ＢＩＭ（Building Information Modeling：ビルディング インフォメーション モデリング）を実現する建築ＣＡＤ（Computer Aided Design：コンピュータ支援設計）システムが知られている。この種の建築ＣＡＤシステムでは、コンピュータ上に建物の三次元デジタルモデルを作成し、設計から施工、維持管理に至るまで建築ライフサイクル全体でモデルに蓄積された情報を活用することにより、建築ビジネスの業務を効率化する。
【０００３】
従来、ＢＩＭを実現する建築ＣＡＤシステムと連携して熱負荷計算データを作成する際に、熱負荷要素別のデータセルブロックが、室毎に外壁数、内壁数などに応じて基本シートから倍数単位でコピーされて自動作成される。すなわち、表計算ソフトにしたがって室毎にシート表示される熱負荷要素別のデータセルブロックに、建築ＣＡＤシステムから所要の建築データが自動入力される。建築ＣＡＤシステムから自動入力されない空調設備用データについては、例えば設備技術者が手作業で入力する。
【発明の概要】
【発明が解決しようとする課題】
【０００４】
熱負荷要素別のデータセルブロックに入力すべき空調設備用データの内容の一部は、全ての室について共通な場合が多い。しかしながら、従来技術では、この共通するデータ部分を室毎（すなわちシート毎）に手動でコピーする必要があり、特に室数が多い場合には膨大な手作業を要するという不都合があった。
【０００５】
本発明は、前述の課題に鑑みてなされたものであり、ＢＩＭを実現する建築ＣＡＤシステムと連携して、比較的少ない手作業で迅速に且つ正確に熱負荷計算データを作成することのできる熱負荷計算データ作成方法を提供することを目的とする。
【課題を解決するための手段】
【０００６】
前記課題を解決するために、本発明では、ＢＩＭを実現する建築ＣＡＤシステムと連携して熱負荷計算データの作成を行う方法であって、
前記建築ＣＡＤシステムにより表計算ソフトにしたがって室毎にシート表示される熱負荷要素別のデータセルブロックの配列構成を全ての室について共通に設定することと、
前記表計算ソフトのシート間における一括コピー機能を用いて、任意の室に関する熱負荷要素のデータセルブロックの内容を、他の全ての室に関する当該熱負荷要素のデータセルブロックに一括的にコピー入力すること、とを含むことを特徴とする熱負荷計算データ作成方法を提供する。
【発明の効果】
【０００７】
本発明では、建築ＣＡＤシステムにより表計算ソフトにしたがって室毎にシート表示される熱負荷要素別のデータセルブロックの配列構成を全ての室について共通に設定しているので、表計算ソフトのシート間における一括コピー機能を用いて、任意の室に関する熱負荷要素のデータセルブロックの内容を、他の全ての室に関する当該熱負荷要素のデータセルブロックに一括的にコピー入力することができる。すなわち、本発明の熱負荷計算データ作成方法では、ＢＩＭを実現する建築ＣＡＤシステムと連携して、比較的少ない手作業で迅速に且つ正確に熱負荷計算データを作成することができる。
【図面の簡単な説明】
【０００８】
【図１】本発明の実施形態にかかる熱負荷計算データ作成方法において全ての室について共通に設定された熱負荷要素別のデータセルブロックの配列構成を概略的に示す図である。
【図２】任意の室に関する熱負荷要素のデータセルブロックの内容を、他の全ての室に関する当該熱負荷要素のデータセルブロックに一括的にコピー入力する様子を示す図である。
【図３】従来技術における不都合を本実施形態と比較して示す図である。
【発明を実施するための形態】
【０００９】
本発明の実施形態を、添付図面に基づいて説明する。図１は、本発明の実施形態にかかる熱負荷計算データ作成方法において全ての室について共通に設定された熱負荷要素別のデータセルブロックの配列構成を概略的に示す図である。図１では、紙面の制限により、建物を構成する多数の室のうちの３つの室についてそれぞれシート表示された熱負荷要素別のデータセルブロックの配列構成例を示している。
【００１０】
図１を参照すると、建築ＣＡＤシステムにより表計算ソフトにしたがってシート表示される第１室の熱負荷要素別のデータセルブロックＳ１は、図中上から順に、１つの基本情報用のセルブロックＢと、３つの外壁用のセルブロックＥａ，Ｅｂ，Ｅｃと、３つの内壁用のセルブロックＮａ，Ｎｂ，Ｎｃと、３つの窓用のセルブロックＷａ，Ｗｂ，Ｗｃと、２つのすきま風用のセルブロックＫａ，Ｋｂと、４つの内部発熱用のセルブロックＨａ，Ｈｂ，Ｈｃ，Ｈｄとを備えている。
【００１１】
各セルブロックは、必要に応じてデータ入力される複数のセルにより構成されている。具体的に、基本情報用のセルブロックＢには、対応する室（データセルブロックＳ１の場合は第１室）を個別に特定するコード、面積などのデータが建築ＣＡＤシステムから自動入力される。外壁用のセルブロックＥには、外壁を個別に特定するコード、方位、面積などのデータが建築ＣＡＤシステムから自動入力されるが、外壁の物性値（例えば日射吸収率）などのデータは自動入力されない。
【００１２】
内壁用のセルブロックＮには、内壁を個別に特定するコード、面積などのデータが建築ＣＡＤシステムから自動入力されるが、隣室条件（例えば隣接する部屋の種別）などのデータは自動入力されない。窓用のセルブロックＷには、窓を個別に特定するコード、方位、面積などのデータが建築ＣＡＤシステムから自動入力されるが、窓の種別（例えば普通の透明ガラス窓、二重ガラス窓）、窓ガラスの厚さなどのデータは自動入力されない。
【００１３】
すきま風用のセルブロックＫには、すきま風発生部を個別に特定するコードなどのデータが建築ＣＡＤシステムから自動入力されるが、すきま特性（気密性など）のデータは自動入力されない。内部発熱用のセルブロックＨには、内部発熱部を個別に特定するコードなどのデータが建築ＣＡＤシステムから自動入力されるが、照明機器の発熱量、人体の発熱量などのデータは自動入力されない。
【００１４】
本実施形態では、図１に示すように、第２室および第３室の熱負荷要素別のデータセルブロックＳ２およびＳ３の配列構成が、第１室のデータセルブロックＳ１の配列構成と同じである。すなわち、各データセルブロックＳ１〜Ｓ３において、第１の熱負荷要素である外壁に関するセルブロックＥの数はともに３つであり、第２の熱負荷要素である内壁に関するセルブロックＮの数はともに３つであり、第３の熱負荷要素である窓に関するセルブロックＷの数はともに３つであり、第４の熱負荷要素であるすきま風に関するセルブロックＫの数はともに２つであり、第５の熱負荷要素である内部発熱に関するセルブロックＫの数はともに４つである。
【００１５】
ただし、第１室では、外壁の部位数が２つであり、内壁の部位数が３つであり、窓の部位数が１つであり、すきま風の部位数が１つであり、内部発熱の部位数が３つである。第２室では、外壁の部位数が３つであり、内壁の部位数が１つであり、窓の部位数が３つであり、すきま風の部位数が１つであり、内部発熱の部位数が１つである。第３室では、外壁の部位数が２つであり、内壁の部位数が２つであり、窓の部位数が３つであり、すきま風の部位数が２つであり、内部発熱の部位数が４つである。したがって、図１において矩形状のセルブロックにおいて対角線に対応する斜線を含むセルブロックは、入力すべきデータの無いセルブロックである。
【００１６】
このように、本実施形態では、建物を構成する多数の室における各熱負荷要素の最大数に応じて熱負荷要素別のデータセルブロックの数を共通に設定し、ひいては各熱負荷要素のデータセルブロックの数および配置される行位置を全ての室について共通に設定している。換言すれば、建築ＣＡＤシステムにより表計算ソフトにしたがって室毎にシート表示される熱負荷要素別のデータセルブロックの配列構成は、全ての室について共通に設定されている。
【００１７】
一般に、表計算ソフトは、複数のシートのうちの任意のシートにおける任意の１つまたは複数のセルの内容を、他の全てのシートにおいて同じ行位置にある１つまたは複数のセルに一括的にコピーする機能、すなわちシート間における一括コピー機能を有する。本実施形態では、室毎にシート表示される熱負荷要素別のデータセルブロックの配列構成を全ての室について共通に設定しているので、一括コピーの対象となる共通部分は常に全ての室に亘って互いに同じ行位置にある。その結果、表計算ソフトのシート間における一括コピー機能を用いて、任意の室に関する熱負荷要素のデータセルブロックの内容を、他の全ての室に関する当該熱負荷要素のデータセルブロックに一括的にコピー入力することができる。
【００１８】
具体的には、例えば第１室の熱負荷要素別のデータセルブロックＳ１における外壁用のセルブロックＥａの内容の一部が全ての室について共通である場合、図２に示すように、一括コピー機能を用いて、外壁用のセルブロックＥａの共通部分（図中ハッチングを施したデータ部分）を他の全ての室における対応するセル（またはセル群）に一括的にコピー入力することができる。同様に、内壁用のセルブロックＮａの共通部分、窓用のセルブロックＷａの共通部分、すきま風用のセルブロックＫａの共通部分、内部発熱用のセルブロックＨａの共通部分についても、必要に応じて、一括コピー機能を用いて他の全ての室における対応するセル（またはセル群）に一括的にコピー入力することができる。
【００１９】
以上のように、本実施形態では、表計算ソフトのシート間における一括コピー機能を用いて、任意の室に関する熱負荷要素のデータセルブロックの内容を、他の全ての室に関する当該熱負荷要素のデータセルブロックに一括的にコピー入力する。具体的には、任意の室に関する熱負荷要素のデータセルブロックの内容の一部を、他の全ての室に関する当該熱負荷要素のデータセルブロックに一括的にコピー入力する。
【００２０】
その結果、本実施形態の熱負荷計算データ作成方法では、ＢＩＭを実現する建築ＣＡＤシステムと連携して、比較的少ない手作業で迅速に且つ正確に熱負荷計算データを作成することができる。特に、設計における初期的な入力作業の効率が飛躍的に向上するだけでなく、例えば設計変更などにより熱負荷要素の仕様などに変更があった場合にも迅速に且つ正確に対応処理することができる。
【００２１】
ちなみに、従来技術では、図３に示すように、入力すべきデータの無いセルブロックは建築ＣＡＤシステムにより自動作成されないため、コピーの対象となる共通部分の行位置は室毎に異なってしまう。その結果、ある熱負荷要素に関するデータセルブロックに入力すべきデータの内容の一部が全ての室について共通であったとしても、例えば２つのシート間でのコピーを繰り返すことにより、共通するデータ部分を室毎（すなわちシート毎）に手動でコピーする必要があり、特に室数が多い場合には膨大な手作業を要するという不都合があった。
【００２２】
なお、上述の実施形態では、各室の熱負荷要素別のデータセルブロックが、３つの外壁用のセルブロックと、３つの内壁用のセルブロックと、３つの窓用のセルブロックと、２つのすきま風用のセルブロックと、４つの内部発熱用のセルブロックとを備えている。しかしながら、これに限定されることなく、熱負荷要素の種類および数、各熱負荷要素のセルブロックの最大数などについては様々な形態が可能である。
【符号の説明】
【００２３】
Ｓ１〜Ｓ３  各室の熱負荷要素別のデータセルブロック
Ｅａ〜Ｅｃ  外壁用のセルブロック
Ｎａ〜Ｎｃ  内壁用のセルブロック
Ｗａ〜Ｗｃ  窓用のセルブロック
Ｋａ，Ｋｂ  すきま風用のセルブロック
Ｈａ〜Ｈｄ  内部発熱用のセルブロック
【図１】
2014075037.tif 000003
【図２】
2014075037.tif 000004
【図３】
2014075037.tif 000005